(57)【要約】【課題】ケース内の熱を効率よく排出することができ、ひいては記録再生エラーの発生を防ぐことができる磁気ディスク装置を提供する。【解決手段】スピンドルモータ２と、スピンドルモータ２により回転させられるディスクＸと、ディスクＸ上において径方向に往復移動させられる磁気ヘッド１と、ディスクＸの一部と対面し、かつ、このディスクＸの外周部から中心部に向かって次第に幅広となるように設けられた整流板５とをケース７の内部に備え、ケース７には、ディスクＸの外周部側に位置する整流板５の一端部５Ｂと近接するような適部に通気口７０が設けられている。【選択図】  図２
2009140531.tif 000002
【特許請求の範囲】
【請求項１】
スピンドルモータと、
上記スピンドルモータにより回転させられるディスクと、
上記ディスク上において径方向に往復移動させられる磁気ヘッドと、
上記ディスクの一部と対面し、かつ、このディスクの外周部から中心部に向かって次第に幅広となるように設けられた整流板とをケースの内部に備え、
上記ケースには、上記ディスクの外周部側に位置する上記整流板の一端部と近接するような適部に通気口が設けられていることを特徴とする、磁気ディスク装置。
【請求項２】
上記整流板は、上記磁気ヘッドに対して上記ディスクの回転方向上流側となる位置に設けられている、請求項１に記載の磁気ディスク装置。
【請求項３】
上記一端部から延びる上記整流板の一方の側縁部は、その一端部を通る上記ディスクの半径線に対して、ディスクの半径方向内方に向かうほどディスクの回転方向上流側に偏位している、請求項１または２に記載の磁気ディスク装置。
【請求項４】
上記整流板は、上記ディスクを上下両側から挟むように複数設けられている、請求項１ないし３のいずれかに記載の磁気ディスク装置。
【請求項５】
上記整流板は、三角形状、台形状、あるいは扇状に形成されている、請求項１ないし４のいずれかに記載の磁気ディスク装置。
【発明の詳細な説明】
【技術分野】
【０００１】
本発明は、磁気ディスクや磁気ヘッドをケース内に備えた磁気ディスク装置に関する。
【背景技術】
【０００２】
従来の磁気ディスク装置としては、特許文献１に開示されたものがある。同文献に開示された磁気ディスク装置は、スピンドルモータと、このスピンドルモータにより回転させられる磁気ディスクと、この磁気ディスク上において径方向に往復移動させられる磁気ヘッドとをケース内に備えている。ケース内にはさらに、磁気ヘッド用のスライダを先端に保持するスイングアームや、このスイングアームをディスク径方向に揺動させるアクチュエータなどが設けられている。記録再生時には、スピンドルモータや磁気ヘッド、アクチュエータが発熱源となる。一般にこのような発熱源からの熱を外部に排出しやすくするために、ケースの適部には、小さな通気口が設けられている。
【０００３】
【特許文献１】特開平５−３３４８３０号公報
【発明の開示】
【発明が解決しようとする課題】
【０００４】
しかしながら、上記従来の磁気ディスク装置では、単に通気口があるだけで熱を強制的に排出させるような仕組みがなく、ケース内に熱がこもって温度が高くなりやすい傾向がある。そのため、記録再生時においては、温度の影響によって記録再生エラーが生じるおそれがあった。
【０００５】
本発明は、上記した事情のもとで考え出されたものである。本発明は、ケース内の熱を効率よく排出することができ、ひいては記録再生エラーの発生を防ぐことができる磁気ディスク装置を提供することをその課題としている。
【課題を解決するための手段】
【０００６】
上記課題を解決するため、本発明では、次の技術的手段を講じている。
【０００７】
本発明により提供される磁気ディスク装置は、スピンドルモータと、上記スピンドルモータにより回転させられるディスクと、上記ディスク上において径方向に往復移動させられる磁気ヘッドと、上記ディスクの一部と対面し、かつ、このディスクの外周部から中心部に向かって次第に幅広となるように設けられた整流板とをケースの内部に備え、上記ケースには、上記ディスクの外周部側に位置する上記整流板の一端部と近接するような適部に通気口が設けられていることを要件としている。
【０００８】
好ましくは、上記整流板は、上記磁気ヘッドに対して上記ディスクの回転方向上流側となる位置に設けられている。
【０００９】
好ましくは、上記一端部から延びる上記整流板の一方の側縁部は、その一端部を通る上記ディスクの半径線に対して、ディスクの半径方向内方に向かうほどディスクの回転方向上流側に偏位している。
【００１０】
好ましくは、上記整流板は、上記ディスクを上下両側から挟むように複数設けられている。
【００１１】
好ましくは、上記整流板は、三角形状、台形状、あるいは扇状に形成されている。
【００１２】
このような構成の磁気ディスク装置によれば、ディスクの回転に伴う空気流を利用し、整流板を介して吸排気を行うことができるので、ケース内の熱を効率よく排出することができ、ひいては記録再生エラーの発生を防ぐことができる。
【００１３】
本発明のその他の特徴および利点は、添付図面を参照して以下に行う詳細な説明によって、より明らかとなろう。
【発明を実施するための最良の形態】
【００１４】
以下、本発明の好ましい実施の形態を、図面を参照して具体的に説明する。
【００１５】
図１〜３は、本発明に係る磁気ディスク装置の一実施形態を示している。図１に示すように、磁気ディスク装置Ａは、複数の磁気ディスクＸのほか、磁気ヘッド１、スピンドルモータ２、スイングアーム３、アクチュエータ４、整流板５、およびディスクコントローラ６をケース７内に備えている。
【００１６】
磁気ヘッド１は、磁気ディスクＸに対してデータを読み書きするものであり、磁気ディスクＸの記録面と対向するようにスイングアーム３の先端に設けられている。
【００１７】
スピンドルモータ２は、磁気ディスクＸを高速回転させるものである。図３に示すように、スピンドルモータ２の回転軸２０には、スペーサリング２１およびクランプカバー２２を介して複数の磁気ディスクＸが等間隔に保持されている。
【００１８】
スイングアーム３は、各磁気ディスクＸの記録面となる表裏両面と対向するように複数設けられており、これら複数のスイングアーム３がアクチュエータ４によって一体的に揺動させられる。このようなスイングアーム３の動作により、磁気ヘッド１は、磁気ディスクＸ上において概ね径方向に往復移動させられる。
【００１９】
アクチュエータ４は、いわゆるボイスコイルモータからなり、ディスクコントローラ６からの制御信号に応じてスイングアーム３を高精度かつ高速に駆動する。
【００２０】
整流板５は、概ね二等辺三角形状となる台形状で厚みが数十μｍ以上の薄板からなり、スイングアーム３の動作範囲外で磁気ディスクＸの一部と対面するように設けられている。図２に示すように、整流板５は、磁気ヘッド１の近傍となる位置で、かつ、その磁気ヘッド１に対して磁気ディスクＸの回転方向上流側となる位置に設けられている。図３によく示すように、整流板５は、各磁気ディスクＸを上下両側から挟むように複数設けられている。磁気ディスクＸと整流板５との間隔は、たとえば１μｍ程度である。このような整流板５は、磁気ディスクＸの外周部から中心部に向かって次第に幅が広くなるように設けられている。すなわち、二等辺三角形の底辺に相当する整流板５の先端部５Ａが各磁気ディスクＸの中心部にあるスペーサリング２１やクランプカバー２２に近接し、整流板５の後端部５Ｂが磁気ディスクＸの外方に固定された支柱５０に支持されている。後端部５Ｂから延びる一方の側縁部５Ｃは、その後端部５Ｂを通る磁気ディスクＸの半径線ｒに対して、半径方向内方に向かうほど磁気ディスクＸの回転方向上流側に偏位している。これと同様に他方の側縁部５Ｄも、半径線ｒに対して半径方向内方に向かうほど磁気ディスクＸの回転方向下流側に偏位している。一方の側縁部５Ｃは、磁気ディスクＸの回転方向に概ね沿って気流を流出させる役割を果たし、他方の側縁部５Ｄは、磁気ディスクＸの回転方向に概ね沿って気流を流入させる役割を果たす。
【００２１】
ディスクコントローラ６は、スピンドルモータ２やアクチュエータ４の動作を制御する。
【００２２】
ケース７は、図示しないケースカバーで封止される。図２に示すように、たとえばケース７の側壁において、整流板５の後端部５Ｂや支柱５０に近接する適部には、空気の出入りを可能とする比較的小さな通気口７０が設けられている。通気口７０の内側には、ケース７内への塵埃の侵入を防ぐ防塵フィルタ７１が設けられている。
【００２３】
次に、磁気ディスク装置Ａにおける整流板５の作用について説明する。
【００２４】
記録再生時、磁気ディスクＸは、スピンドルモータ２によって一定の方向に高速回転させられ、磁気ヘッド１やアクチュエータ４が動作させられる。そのため、これら磁気ヘッド１やアクチュエータ４、スピンドルモータ２といった駆動源が発熱源となり、ケース７内に熱が生じる。
【００２５】
このとき、磁気ディスクＸの表面近傍では、ディスク回転方向と同じ向きに気流が生じる。この気流は、遠心力によって徐々に磁気ディスクＸの外側に流れていくが、それ以上に整流板５によって大きく流れの向きが変化させられる。
【００２６】
具体的に、整流板５の一方の側縁部５Ｃは、これに沿って気流を磁気ディスクＸの外周部外方へと導くように作用する。この側縁部５Ｃに近い通気口７０付近においては、磁気ディスクＸからの気流によって正圧が生じる。これにより、ケース７内の熱をもった空気は、整流板５の後端部５Ｂから防塵フィルタ７１および通気口７０を通ってケース７外に導かれる。
【００２７】
一方、上記とは反対側の側縁部５Ｄは、これに沿って外部から気流を磁気ディスクＸ上へと導くように作用する。この側縁部５Ｄに近い通気口７０付近においては、磁気ディスクＸに流れ込む気流によって負圧が生じる。これにより、ケース７外の新鮮な空気は、通気口７０および防塵フィルタ７１を通ってケース７内へと導かれ、さらには磁気ヘッド１付近へと流れていく。
【００２８】
このように、本実施形態の磁気ディスク装置Ａによれば、気流の流れを整流板５によって変えることにより、ケース７内外の空気を強制的に入れ換えることができ、ケース７内にこもった熱を効率よく排出することができる。
【００２９】
磁気ヘッド１付近においては、ケース７外の新鮮な空気が流れ込みやすいため、磁気ヘッド１に対する温度の影響を極力減らすことにつながり、記録再生エラーの発生をできる限り防ぐことができる。
【００３０】
図４〜１０は、整流板についてシミュレーションを行った結果を示している。ディスクとしては、半径略３２ｍｍのものを用い、このディスクが10000rpmで回転するものとする。気流の流れは、可視化シミュレーションによる流線で表し、その可視化範囲は、ディスクの中心からの径方向位置が１２〜３２ｍｍとなるｙ方向範囲２０ｍｍおよび幅方向となるｘ方向範囲３０ｍｍの矩形領域とする。
【００３１】
図４に示すように整流板がない場合、矩形領域内の流線は、概ねディスクの周方向に沿うように生じる。これらの流線のうち、ディスクの外側となる矩形領域の上辺左側から流出する流線は６本であり、上辺右側から流入する流線も６本である。
【００３２】
一方、底辺２５ｍｍ、高さ２２ｍｍの二等辺三角形からなる整流板をディスクとの間隔を１μｍで配置した場合の可視化シミュレーションによれば、図５に示すような流線となる。すなわち、矩形領域左側の流線全てが上辺左側から流出し、矩形領域右側の流線全てが若干の乱れがあるものの全て上辺右側から流入する。しかもこれらの流線は、整流板の頂点に向かうような方向をとっている。このような可視化シミュレーションによっても、気流の流れを整流板によって好都合に変えることができることが理解できよう。
【００３３】
次に、図６（Ａ）〜（Ｃ）に示すようにディスクと整流板との間隔を変更した場合、その間隔が大きくなるほど矩形領域の上辺にかかる流線が少なくなる。さらに間隔を変更してシミュレーションを行った結果、図７に示すような関係が得られた。同図における流線の本数は、矩形領域の上辺にかからない流線の数である。これによれば、ディスクと整流板との間隔が５０μｍ以下であれば、ある程度効率的な吸排気をできることが理解できよう。
【００３４】
次に、図８および図９に示すように整流板の形状を変更して可視化シミュレーションを行った。図８（Ａ）は、整流板を短冊状とした場合、図８（Ｂ）は、二等辺三角形からなる整流板の底辺と斜辺との間の傾斜角が７８．７degの場合、図９（Ａ）は、その傾斜角が６５．８degの場合、図９（Ｂ）は、その傾斜角が５５degの場合である。さらに傾斜角を変更してシミュレーションを行った結果、図１０に示すような関係が得られた。同図における還流流線とは、矩形領域の下辺にかかる流線でディスクの中心部付近で渦を巻く流線である。これによれば、図５に示す流線の本数に対して矩形領域の上辺にかからない、すなわち空気の流入・流出に寄与しない流線の本数を１割程度に抑えるには、整流板の傾斜角を７５deg以下にすればよいことが理解できよう。
【００３５】
もちろん、ケース内の温度条件などに応じて整流板の間隔や形状に関する条件をさらに緩和してもよい。
【００３６】
なお、本発明は、上記実施形態で示したものに限定されるものではない。
【００３７】
たとえば、整流板の先端部や側縁部は、気流が沿いやすいようにある程度湾曲していてもよい。また、整流板の形状は、厳密に二等辺三角形である必要はなく、両側の側縁部が等辺でなくてもよいし、扇状のような形状であってもよい。
【図面の簡単な説明】
【００３８】
【図１】本発明に係る磁気ディスク装置の一実施形態を示す斜視図である。
【図２】図１に示す磁気ディスク装置の平面図である。
【図３】図２のIII−III線に沿う断面図である。
【図４】ディスク上に整流板がない場合の可視化シミュレーションによる流線図である。
【図５】ディスク上に整流板がある場合の可視化シミュレーションによる流線図である。
【図６】ディスクと整流板との間隔を変更した場合の可視化シミュレーションによる流線図である。
【図７】ディスクおよび整流板の間隔と流線本数との関係を説明するための説明図である。
【図８】整流板の形状を変更した場合の可視化シミュレーションによる流線図である。
【図９】整流板の形状を変更した場合の可視化シミュレーションによる流線図である。
【図１０】傾斜角と流線本数との関係を説明するための説明図である。
【符号の説明】
【００３９】
Ａ          磁気ディスク装置
Ｘ          磁気ディスク
ｒ          半径線
１          磁気ヘッド
２          スピンドルモータ
３          スイングアーム
５          整流板
５Ｂ        整流板の後端部（一端部）
５Ｃ，５Ｄ  整流板の側縁部
７          ケース
７０        通気口
【図１】
2009140531.tif 000003
【図２】
2009140531.tif 000004
【図３】
2009140531.tif 000005
【図４】
2009140531.tif 000006
【図５】
2009140531.tif 000007
【図６】
2009140531.tif 000008
【図７】
2009140531.tif 000009
【図８】
2009140531.tif 000010
【図９】
2009140531.tif 000011
【図１０】
2009140531.tif 000012